(57)【要約】本発明は、ドメスティックネットワークに接続される制御装置でコンテンツのリストを作成するための方法に関し、このリストは、ドメスティックネットワークに接続される異なる装置により供給されるコンテンツを項目別にする。本方法は、フィルタリング基準を指定するコマンドを制御装置から送出すること、それぞれの装置で、このコマンドの受信に応じてローカルリストを作成すること、制御装置に対して作成される装置からそれぞれのローカルリストを転送すること、コンテンツのリストを形成するために受信されたローカルリストを制御装置で収集することからなる。したがって、ユーザは、たとえば「スポーツ」のようなフィルタリング基準を選択することができ、このフィルタリング基準に関わるコンテンツであって、全ての装置で利用可能なコンテンツのリストを見ることができる。ユーザによるコンテンツのサーチは、迅速に実行することができる。また、本発明は、コンテンツのリストを作成するための方法に従って使用される装置にも関する。
2006513498.tif 000002
【特許請求の範囲】
【請求項１】
それぞれがコンテンツを供給する多数の装置に接続されるドメスティックネットワークに接続される制御装置でコンテンツのリストを作成するための方法であって、
フィルタリング基準を指定するコマンドを制御装置からネットワークを通して送出するステップと、
該コマンドの受信に応じて、ローカルリストが作成される装置であって、該コマンドにより指定されるフィルタリング基準に関わる装置により供給されるコンテンツを項目別にするローカルリストをそれぞれの装置で作成するステップと、
該ネットワークを介してローカルリストが作成される装置からそれぞれのローカルリストを該制御装置に転送するステップと、
コンテンツのリストを形成するため、該ネットワークから受信されたローカルリストを該制御装置で収集するステップと、
からなることを特徴とする方法。
【請求項２】
装置におけるローカルリストの作成の後に該装置から制御装置に通知が送出され、それぞれのローカルリストは、該制御装置により送出された転送要求の受信に応じて転送される、
請求項１記載の方法。
【請求項３】
該制御装置は、ユーザ側の特別の操作に続いて、それぞれ接続された装置に転送要求を送出する、
請求項２記載の方法。
【請求項４】
それぞれの転送要求は、対応する通知の受信に応じて該制御装置から送出される、
請求項２記載の方法。
【請求項５】
受信されたときに動的にローカルリストを収集することで、該制御装置でコンテンツのリストを作成するステップを含む、
請求項４記載の方法。
【請求項６】
受信する装置を指定することなしにネットワーク全体に１つのコマンドを送出するステップを含み、それぞれの装置は、該コマンドに応答すべきか否かを決定するコマンドを受信する、
請求項１乃至５のいずれか記載の方法。
【請求項７】
ドメスティックネットワークに接続され、コンテンツを供給するために設計される装置であって、フィルタリング基準を指定するコマンドの受信に応じて、装置に供給されるコンテンツであって、該コマンドにより指定されるフィルタリング基準に関わるコンテンツを項目別にするローカルリストを作成し、該ネットワークを介して該ネットワークに接続される別の装置に該ローカルリストを転送するプログラム手段を備える、
ことを特徴とする装置。
【請求項８】
ドメスティックネットワークに接続され、コンテンツのリストを表示するために設計される装置であって、ネットワークを通してフィルタリング基準を指定するコマンドを送出し、該ネットワークを介して該ネットワークに接続される別の装置からのローカルリストを転送するためのプログラム手段を備え、該ローカルリストは、該コマンドに応答して作成される、
ことを特徴とする装置。
【請求項９】
ドメスティックネットワークに接続され、コンテンツを供給してコンテンツのリストを表示するために設計される装置であって、フィルタリング基準を指定するコマンドの受信に応じて、装置で供給されるコンテンツであって該コマンドにより指定されるフィルタリング基準に関わるコンテンツを項目別にするローカルリストを作成し、該ネットワークを通して該ネットワークに接続される別の装置に該ローカルリストを転送するためのプログラム手段と、該ネットワークを通してフィルタリング基準を指定するコマンドを送出し、該ネットワークを通して該ネットワークに接続される別の装置からローカルリストを転送するためのプログラム手段を備える、
ことを特徴とする装置。
【発明の詳細な説明】
【技術分野】
【０００１】
本発明は、コンテンツをそれぞれ供給する多数の装置に接続されるドメスティックネットワークに接続される制御装置でコンテンツのリストを作成する方法に関する。
【０００２】
本発明は、たとえばＨＡＶｉプロトコルを使用して装置が相互に通信するデジタルドメスティックネットワークにおけるコンテンツのプレゼンテーションに適用される。用語「コンテンツ」は、本明細書では、ブロードキャスト又はデジタルテレビジョンチャネルで転送されたフィルム、プリレコードされたフィルム、ハードディスク又はウォークマンに記憶されたｍｐ３オーディオファイル、若しくはオーディオ用のオプティカルディスクドライブからのオーディオファイルのようなオーディオ−ビデオサービスを意味することが理解される。コンテンツのリストは、本明細書では、メタデータのコレクションに対応する。メタデータのアイテムは、属性によりコンテンツを記述し、たとえば、フィルムのメタデータは、特に、そのリリース日、そのタイプ、俳優及びその要約のような属性を備えている。メタデータは、たとえば、サイトhttp://xml.coverpages.org/TVAnytime-SP003v11.pdf.でアクセス可能なドキュメントに記載されている。
【背景技術】
【０００３】
ドメスティックネットワークにより相互に通信される装置は、たとえば、衛星又はデジタル地上波手段により伝送される多数のデジタルチャネルをそれぞれ受信するチューナ、ストアドコンテンツ、ＤＶＤプレーヤ、及びテレビジョン端末であるハードディスクのようなデータストレージ手段である場合がある。ドメスティックネットワークでは、潜在的に利用可能なオーディオ−ビデオ及びオーディオサービスの数が高くなる可能性がある。示唆として、デコーダから、無料の、すなわち特定の加入なしでアクセス可能な衛星により転送される約数千のチャネルが存在する。
【０００４】
かかるインスタレーションでは、ユーザは、制御装置となる装置のうちの１つから、たとえばＨＡＶｉプロトコルのような通信プロトコルを使用するアプリケーションを介してドメスティックネットワークを制御することができる。この装置は、たとえば、アプリケーションインタフェースを表示可能なテレビジョンであって、このテレビジョンにより、ユーザはリモートコントロールを使用してメニューにおける選択をなすことができる。したがって、ユーザは、接続される様々な装置、及び所定数の特性並びに後者の特性を確認することができる。彼は、それぞれの所与の装置について、その装置で利用可能なコンテンツのリストを見ることもできる。ユーザが特定のコンテンツを見たいとき、次いで、彼は、彼が見たいコンテンツを見るまで、それぞれの装置、次にそれぞれのコンテンツのリストをルックアップするためのアプリケーションを制御する必要がある。この動作は、それぞれのルックアップ動作について、制御装置が情報を回復して対応するコンテンツのリストを表示するために対応する装置と通信する必要があるので比較的長い。結果的に、特定のコンテンツを選択することは、このオプションがユーザによる使用のために実用的ではない程度に比較的長く、面倒である。
【０００５】
米国の文献６，１４０，３３４号−ＡＬＬＰＯＲＴは、赤外線リンクを使用した多数の装置を制御するリモートコントロールを記載している。リモートコントロールは、コマンドを送出するための装置と通信し、適切な場合に情報を受信する。装置は固定されるので、赤外線により相互に通信することができず、したがって、ドメスティックネットワークを構成しない。リモートコントロールは、全ての情報を取得するため、それぞれの装置を個々に問い合わせる。
【０００６】
文献ＷＯ００／４００１７−ＨＡＮＣＯＣＫは、ケーブルからの信号の受信機に接続されるテレビジョン、衛星アンテナから信号を受信するデコーダ、ビデオデコーダ又は他の入力装置を備えている。装置は、専用のリンクにより連結されており、ドメスティックネットワークを使用して接続されている。実際に、ケーブル又は衛星からのビデオレコーダに転送を記憶するため、これはＴＶにより行うことができず、図１に示されるように専用のリンクが必要とされる。この文献は、ネットワークを除くこと、及び２つの装置間に専用のリンクを確立することを含めて、ネットワークをオーバロードにするという問題に対して別のソリューションを与えている。
【発明の開示】
【発明が解決しようとする課題】
【０００７】
本発明の目的は、かかるリストをより迅速に作成する方法を提供することでこれらの問題を克服することにある。
【課題を解決するための手段】
【０００８】
上記目的を達成するため、本発明は、それぞれがコンテンツを供給する多数の装置に接続されるドメスティックネットワークに接続される制御装置でコンテンツのリストを作成するための方法を提供するものであって、制御装置から、フィルタリングの基準を規定するコマンドを送出すること、このコマンドの受信に応じて、コマンドで規定されるフィルタリング基準で作成及び含まれる、装置により供給されるコンテンツを項目別にするローカルリストをそれぞれの装置で作成すること、それが作成される装置から制御装置にそれぞれのローカルリストを転送すること、及び制御装置でコンテンツのリストを形成するために受信されるローカルリストを収集することからなることを特徴とする。
【０００９】
したがって、ユーザは、たとえば「スポーツ」のようなフィルタリング基準を選択し、このフィルタリング基準に含まれ、全ての装置で利用可能なコンテンツのリストを見ることができる。全体のネットワーク上での特定のコンテンツのサーチは、非常に短い時間で完了される。応答時間は、ネットワークで計算されるデータ量がフィルタリング基準に関連するデータにまで低減されることで最適化される。この応答時間は、フィルタリング基準に対応するコンテンツのリストを作成するために必要とされるフィルタリングプロセスが単一の装置で中央集約化される代わりに、ネットワークに接続される様々な装置で同時に実行されることで最適化される。
【００１０】
好適な実施の形態では、装置におけるローカルリストの作成の後、その装置から制御装置に通知が送出され、制御装置により送出される転送要求の受信に応じて、それぞれのローカルリストが転送される。したがって、ローカルリストを作成するためネットワークに接続される装置に印加される負荷とは独立に、ドメスティックネットワークで循環するデータ量が管理される。
【００１１】
別の実施の形態では、制御装置は、システマティックにではなく、ユーザからの要求に従って、接続された装置への転送要求を送出する。転送要求、特にユーザ側での特別のアクションを送出するために更なる条件が必要とされる。したがって、ネットワークに接続される装置でローカルリストを作成するために必要とされる時間をマスクすることができる。この実施の形態では、ネットワークに接続される装置は、制御装置で実行しているアプリケーションでフィルタリング基準がユーザにより選択されるたびに、ローカルリストを作成するために制御装置により順序付けされる。ユーザが彼の選択を確認したとき、制御装置でコンテンツのリストを作成するため、ローカルリストの転送が開始される。
【００１２】
別の実施の形態では、それぞれの転送要求は、対応する通知の受信に応じて制御装置から送出される。有利なことに、アプリケーションは、制御装置で受信されたとき、ローカルリストを動的に収集するために設計することができる。このように、制御装置でコンテンツのリストを表示し始めるまえに全てのローカルリストが形成されるのを待つ必要があるのを回避することで、システムの応答の速さが拡張される。
【００１３】
また、本発明は、ドメスティックネットワークに接続され、コンテンツを供給するために設計される装置を提案するものである。この装置は、フィルタリング基準を規定するネットワークから受信されたコマンドの受信に応じてローカルリストを作成するためのプログラムされる手段を備えており、このローカルリストは、装置に供給され、コマンドにより指定されるフィルタリング基準に含まれるコンテンツを項目別にする。また、この装置は、ネットワークを介してこのローカルリストを該ネットワークに接続される別の装置に転送するための手段を備えている。
【００１４】
また、本発明は、ドメスティックネットワークに接続され、コンテンツのリストを表示するために設計される装置を提案する。この装置は、ネットワークを通して、フィルタリング基準を規定するコマンドを送出し、ネットワークを介してネットワークに接続される別の装置からのローカルリストを転送するためのプログラムされた手段を備えている。
【００１５】
また、本発明は、コンテンツを供給し、コンテンツのリストを表示するために設計されるドメスティックネットワークに接続される装置を提案する。この装置は、フィルタリング基準を規定するコマンドの受信に応じて、装置に供給されるローカルリストであって、コマンドにより指定されるフィルタリング基準に含まれるコンテンツを項目別にするローカルリストを作成し、ネットワークを介して、このローカルリストをネットワークに接続される別の装置に転送するためのプログラムされた手段を備えている。また、この装置は、ネットワークを通して、フィルタリング基準を規定するコマンド送出し、ネットワークを通してネットワークに接続される別の装置からローカルリストを転送するためのプログラムされた手段を備えている。
【００１６】
本発明は、更に詳細に、限定するものではない例を通して実施の形態を説明する添付図面を参照して説明される。
【発明を実施するための最良の形態】
【００１７】
図１は、２つのセットのテレビジョンチャネルレシーバ１及び２を備えているドメスティックネットワーク（Domestic  Network）の例を示しており、それぞれのセットは、テレビジョン１”，２”に接続されるデコーダ１’，２’を含んでいる。テレビジョン及びデコーダを備えているセットは、互いにリンクされ、個別に販売される２つの個別のエレメントにより形成することができるが、デコーダは、デジタルテレビジョンに統合することもできる。それぞれのデコーダ１’は、ドメスティックネットワーク５により他の装置に接続されている。これらの装置は、デジタル地上波手段により送信されたデジタルチャネルを受信するため、；チューナ３’を介してネットワーク５にリンクされるアンテナ３を含んでいる。同様に、ディッシュアンテナ４は、衛星により送信されるデジタルチャネルを受信するため、別のチューナ４’を介してネットワークにリンクされる。ネットワーク５にリンクされるそれぞれのセット１，２は、アンテナ３で受信されるデジタル地上波チャネルと衛星により送信されたチャネルの両者にアクセスするために設計される。また、インスタレーションは、それぞれのセット１，２がそれらのコンテンツにアクセスすることができるようにネットワーク５に接続される、ストアドフィルム又はＭＰ３ファイル及びＣＤ又はＤＶＤプレーヤ７のような他のコンテンツである２つのハードディスク６を含んでいる。
【００１８】
また、ネットワーク５に接続されるそれぞれの装置は、メモリ手段及び通信手段と関連される中央処理装置を備えている。該メモリ手段は、実行可能なプログラムを含んでいる。
【００１９】
このケースでは、セット１はアプリケーションを実行するために設計され、ネットワーク５に接続される他の装置により供給されるコンテンツを見るためにメニューにおけるナビゲーションを行うため、そのインタフェースは、テレビジョン１”で表示され、リモートコントロールを使用してユーザにより駆動される。また、このアプリケーションは、これらの装置により供給されたコンテンツのリストを見るための機能を備えている。
【００２０】
本発明によれば、制御装置１におけるコンテンツのリストの作成は、この制御装置１からネットワーク５に接続される異なる装置でローカルリストを作成するためのコンテンツのフィルタリング基準を規定するためのコマンドを送出することからなる。有利なことに、このコマンドは、受信側の装置を規定することなしにネットワークを通して送信され、それぞれのネットワークの装置は、それに応答すべきかを判定する。この送信は、帯域幅を節約し、装置が存在するのと同じ数のコマンドを送出する必要があるのを回避する。基準に対応するコンテンツをもたない装置は、応答する必要がなく、空のリストを送出するのを回避する。コマンドの受信に応じてネットワーク５に接続される装置で作成されるそれぞれのローカルリストは、より小さいサイズのローカルリストを形成するため、コマンドにより規定されるフィルタリング基準に含まれるコンテンツを項目別にする。次いで、ローカルリストは、要求されたリストを形成するために収集することができる制御装置に転送される。この方法によれば、リストを形成するために必要とされるプロセスは、パラレルに実行され、ネットワークに接続される多数の装置で同時に実行され、したがって、大幅な時間の節約を提供する。ネットワークで循環するデータの量は、（ローカルリストにより定義される）ユーザにより指定されたフィルタリング基準に対応するデータのみが制御装置に転送されるので、比較的小さい。より詳細には、表示されるべきこのフィルタリング基準に含まれるコンテンツのリストを尋ねるため、ユーザがそれよりフィルタリング基準を選択することができるように、アプリケーションが設計される。このフィルタリング基準は、対応するコンテンツのリストがスポーツの性質のブロードキャスト又はリポートを項目別にするように、たとえばスポーツである場合がある。コンテンツのサーチは、フィルタリングの基準に直接的に条件付けされることで簡略化され、このことは、ネットワークに接続される異なる装置で利用可能なコンテンツのリストを非常に短い時間で作成するのを可能にしつつ、ネットワークにおいて循環されるデータ量が低減されることを意味する。コマンドは、たとえば装置１又は装置２のような制御装置からネットワーク５に接続される他の装置に送出される。しかし、ネットワークに接続されるそれぞれの装置は、制御装置であって、これにより、全てのこれらの装置は、多数の装置が制御し、制御されることができるマルチコントローラシステムを形成する。
【００２１】
また、本方法は、装置のうちの１つの故障が全てのデータが失われたことを意味しないように、データが異なる装置で記憶されるので、システムのロバスト性を改善する。
【００２２】
本発明に係る方法は、３つの装置１，２及び３がドメスティックネットワーク５を介して相互に接続される図２及び図３に概念的に表現される。このケースでは、装置１は、コンテンツのリストを作成するため、制御装置としての役割を果たす。
【００２３】
本発明の好適な実施の形態では、装置２，３によるローカルリストの作成に続いて、制御装置１への通知３０の送信となり、制御装置１へのローカルリスト６０の転送は、制御装置１により送出された転送要求５０の対応する装置による受信に応じて実行される。このように、制御装置１は、ネットワーク５で循環するデータ量及びそれぞれの装置２，３を要求する処理負荷とは独立に管理することが可能である。
【００２４】
ローカルリストが作成されたときに通知３０を送出すること、転送要求５０の受信に応じてこのローカルリスト６０を送信するこの特性は、その動作モードが調整されるのを可能にすることで、システムの応答時間を最適化するために特に有効である。実施の形態では、制御装置１は、２０で、ローカルリストを作成するように接続された装置２，３に命じ、転送要求５０は、ユーザにより実行される特定のアクションに続いて送出される。ドメスティックネットワーク５に接続される装置２，３での処理時間をマスクすることができる。より詳細には、フィルタリング基準が制御装置１で実行しているアプリケーションでユーザにより選択されるたびに、コマンド２０が送出される。図４の例では、ユーザは、「スポーツ」及び「シネマ」から「スポーツ」トピックを選択し、これにより、第一のコマンド２０が発生され、この第一のコマンド２０に続いて、「スポーツ」のフィルタリング基準に対応するローカルリストがネットワーク５に接続される装置で作成される。図５で表現される次のステップでは、ユーザは、「スポーツ“sport”」、「フットボール“football”」及び「バスケットボール“basketball”」トピックスから「フットボール」を選択し、これにより、接続された装置で「フットボール」に対応するローカルリストの作成を含む第二のコマンド２０を発生する。制御装置１における「フットボール」に対応するコンテンツのリストを作成するために必要とされるデータは、ネットワークに接続される装置２，３において準備される。ユーザが彼のリモートコントロールで特定の確認のアクションにより「フットボール」の選択を確認したとき、６０で制御装置１にローカルリストの転送を開始するため、転送要求５０が送出される。このことは、要求されたコンテンツのリストを作成することができることを意味し、すなわち、図４及び図５の例では、フットボールの試合が現在利用可能である。
【００２５】
本実施の形態は、アプリケーションインタフェースでの連続する選択により、ユーザが彼のフィルタリング基準を選択した場合に特に良好に適している。いずれかの時間で、ユーザが位置される選択は、彼がコンテンツのリストを見ることを望むフィルタリング基準とすることができ、対応するデータは、ネットワークに接続される異なる装置で一定に計算される。ユーザが位置される選択を彼が確認したとき、データが準備されており、残されている全てのデータは、制御装置に送信されるべきデータであって、これにより、大幅な時間の節約が提供される。
【００２６】
有利なことに、たとえば一定に送信された衛星又はデジタル地上波手段により受信されたオーディオ−ビジュアルプログラムのような動的なコンテンツは、ユーザがそれらを要求したときにより迅速に利用可能となるように、ローカルに記憶及び更新することができる。このケースでは、制御装置は、装置３及び４に周期的にコマンド２０を送出し、この装置３及び４は、ローカルリストを形成して、最新のローカルリストを維持するように、ダイナミックプログラムを受信する。ユーザがこれらの装置のコンテンツリストをルックアップすることを望むとき、対応する制御装置への最新のローカルリストの転送を開始するため、転送要求５０が送出される。このように、動的なコンテンツのリストの管理は、ネットワークで大幅な負荷を発生することなしに、制御装置が依頼したときにのみデータが転送されるので、これらローカルリストを最新の状態に保持することからなる。
【００２７】
別の実施の形態では、制御装置は、通知３０の受信に応じてそれぞれの転送要求５０を送出する。有利なことに、アプリケーションは、制御装置において６０で受信されたとき、動的にローカルリストを収集するために設計することができる。このように、システムの応答速度は、制御装置においてコンテンツのリストを部分的に表示するのを開始する前に、全てのローカルリストが収集されるのを待つ必要があるのを回避することで改善される。
【００２８】
本発明は、有利にも、アプリケーションにより駆動することができるプロトコルの更なる機能性を形成するように、それぞれの装置で統合されるプログラマブル手段で実現される通信プロトコルの形式で生成することができる。かかるコンポーネントは、システムコンポーネントとも呼ばれ、たとえば、いわばＨＡＶｉプロトコルにより提供される基本機能への拡張を形成している、かかるコンポーネントを受信するために提供されるＨＡＶｉプロトコルに組み込むことができる。このように、ネットワーク５の装置の接続又は接続解除の、ユーザのためのリアルタイム及び透明性における認識に関して、ＨＡＶｉプロトコルにより提供される利点を組み込むことも可能である。実際に、ＨＡＶｉプロトコルは、装置の接続又は接続解除が他の装置に即座に指示されるように、この機能性を含んでおり、このことは、装置におけるコンテンツのリストが対応する要求を連続してトリガすることで迅速に更新することができることを意味する。図２を再び参照して、矢印１０〜７０により表されている要求は、ネットワーク５を介して装置１，２及び３の間で循環するものであって、ブロック１Ｂ，２Ｂ，３Ｂが組み込まれるドメスティックネットワークを動作させるプロトコルにより実際に管理される。より詳細には、２０のようなコマンドの受信に応じて、対応するコンポーネントは、それが組み込まれる装置であって、コマンド２０に含まれるフィルタリング基準に対応する装置で利用可能なコンテンツのローカルリストを作成する。有利なことに、このコンポーネントは、コンテンツのリストの形成をもたらす異なるイベントを管理するため、アプリケーション１Ａにより駆動される。
【００２９】
このアプリケーション１Ａは、たとえば、装置を変えることなしに最近のアップデートを有することが可能であるようなやり方で、媒体から装置のメモリにダウンロードすることができるソフトウェアアプリケーションである。
【００３０】
図２の例では、アプリケーション１Ａは、１０で、コンテンツのリストの要求をコンポーネント１Ｂに送出する。コンポーネント１Ｂは、このコンテンツリストの要求を多数のコマンド２０に変換し、これら多数のコマンドは、ネットワークを通して、装置２，３及びコンポーネント１Ｂ自身にそれぞれ送出される。それぞれのコンポーネント１Ｂ，２Ｂ及び３Ｂは、コンポーネント１Ｂに向けて対応する通知３０を送出する前にローカルリストを作成する。次いで、アプリケーション１Ａは、全ての通知３０が１Ｂで受信されたとき、４０で通知される。異なるローカルリストの転送は、アプリケーション１Ａにより順序付けされ、このアプリケーションは、装置２及び３からローカルリストをアップロードするように５０でコンポーネント１Ｂを駆動する。これにより、矢印５０により例示される転送要求、及びその後の転送６０がもたらされる。次いで、ローカルリストは、コンポーネント１Ｂで収集され、ユーザへの表示のために７０でアプリケーション１Ａに転送される。
【００３１】
先に記載される本発明の例示的な実施の形態は、それらの具体的な特性について選択された。しかし、本発明によりカバーされる全ての実施の形態の完全なリストを提供することは可能ではない。特に、記載されるいずれかのステップ又は手段は、本発明のフレームワークから逸脱することなしに等価なステップ又は手段により置き換えることができる。
【図面の簡単な説明】
【００３２】
【図１】ドメスティックネットワークの概念的な表現を示す図である。
【図２】本発明に係る方法に関する動的な交換の図の形式での表現を示す図である。
【図３】本発明に係る方法に関する連続的な図の形式での表現を示す図である。
【図４】本発明に係る方法によるフィルタリング基準の選択に関する第一の例である。
【図５】本発明に係る方法によるフィルタリング基準の選択に関する第二の例である。
【図１】
2006513498.tif 000003
【図２】
2006513498.tif 000004
【図３】
2006513498.tif 000005
【図４】
2006513498.tif 000006
【図５】
2006513498.tif 000007
【国際調査報告】
2006513498.tif 000008
2006513498.tif 000009
2006513498.tif 000010
2006513498.tif 000011
2006513498.tif 000012
2006513498.tif 000013